(57)【要約】【課題】無線モデム機能に関するアプリケーションソフトを情報機器側が有していなくても容易に使用することができるとともに、情報機器側のストレージに格納しておく必要がなく、利便性を大幅に向上させることが可能な無線モデム機能拡張装置を提供。【解決手段】無線モデム機能拡張装置であるＳＤ−ＰＨＳメモリーコンボカード１は、ＳＤＩＯコントローラー１０、フラッシュメモリー２０、ＰＨＳコントローラー３０、ＰＨＳアンテナモジュール４０を有しており、ホスト機器にデータを記憶するストレージ機能と、公衆電話回線に接続することによりデータの送受信を行う無線モデム機能とを有するマルチファンクションカードとする。そして、前記フラッシュメモリー２０に、前記無線モデム機能に関するアプリケーションソフトを予め格納しておき、必要に応じて使用可能とする。【選択図】      図１
2004208245.tif 000002
【特許請求の範囲】
【請求項１】
情報機器に接続されて、該情報機器に無線モデム機能を付加する無線モデム機能拡張装置であって、
所定のデータ転送方式のシステムインターフェース機能と、
フラッシュメモリーによるストレージ機能と、
ＰＨＳモジュールによる無線モデム機能と、
を有するとともに、前記フラッシュメモリーに、前記無線モデム機能に関するアプリケーションソフトが格納されていることを特徴とする無線モデム機能拡張装置。
【請求項２】
所定のデータ転送方式がＳＤＩ／Ｏ規格であるとともに、ＳＤＩ／Ｏ規格に基づいたコネクタ方式になされていることを特徴とする請求項１に記載の無線モデム機能拡張装置。
【請求項３】
所定のデータ転送方式がＣＦＩ／Ｏ規格であるとともに、ＣＦＩ／Ｏ規格に基づいたコネクタ方式になされていることを特徴とする請求項１に記載の無線モデム機能拡張装置。
【請求項４】
所定のデータ転送方式がＵＳＢ規格であるとともに、ＵＳＢ規格に基づいたコネクタ方式になされていることを特徴とする請求項１に記載の無線モデム機能拡張装置。
【請求項５】
前記フラッシュメモリーに格納されるアプリケーションソフトが、ダイヤル接続ソフト、音声通話ソフト、メールソフト、ブラウザソフトのうち何れかであることを特徴とする請求項１又は２又は３又は４に記載の無線モデム機能拡張装置。
【発明の詳細な説明】
【０００１】
【発明の属する技術分野】
本発明は、無線モデム機能拡張装置に係り、特に、ストレージ機能と無線モデム機能の両方を備える無線モデム機能拡張装置に関する。
【０００２】
【従来の技術】
近年、ＰＤＡやデジタルカメラ等の情報機器に、外部に接続して無線モデム機能を付加するカード型の無線モデム装置が使用されている（例えば、特許文献１、特許文献２）。そのため、ＰＤＡやデジタルカメラは、当初から無線モデム機能を内蔵していなくても、必要に応じてそれらを装着すればよいため、より小型で軽量な状態とすることができる。また、無線モデム機能に加えてストレージ機能をも有する所謂「マルチファンクション機能」を有する無線モデム装置も使用されている。
【０００３】
【発明が解決しようとする課題】
しかし、そのような無線モデム機能拡張装置においては、無線モデム機能に関するアプリケーションソフトであるダイヤル接続ソフト、音声通話ソフト、メールソフト、ブラウザソフトなど（以下単にアプリケーションソフトと称する）を有していない場合には、別途ＣＤ−ＲＯＭやフレキシブルディスクなどの媒体から取り込むか、Ｗｅｂページからダウンロードする必要がある。そのため、通常ＣＤ−ＲＯＭやフレキシブルディスクのドライブを有していないＰＤＡなどにおいては、それらのディスクから取り込むのは困難であるとともに、Ｗｅｂページに必要なアプリケーションソフトがアップされていなければ、アプリケーションソフトを容易に使用することができなかった。さらに、アプリケーションソフトは、無線モデム機能を使用しない場合であっても、利便性のため情報機器側のハードディスクなどのストレージに格納されているため、情報機器側のストレージに負担がかかり、記憶領域を無駄に使用していた。
【０００４】
そこで、本発明は、無線モデム機能に加えてストレージ機能も有するものとし、該ストレージ機能を利用して無線モデム機能に関するアプリケーションソフトを予め格納しておくことにより、無線モデム機能に関するアプリケーションソフトを情報機器側が有していなくても容易に使用することができるとともに、情報機器側のストレージに格納する必要がなく、利便性を大幅に向上させることが可能な無線モデム機能拡張装置を提供することを目的とする。
【特許文献１】特開２００１−３４４０４３号
【特許文献２】特開平１１−１６４３７１号
【０００５】
【課題を解決するための手段】
本発明は、前記問題点を解決するために創作されたものであって、第１には、情報機器に接続されて、該情報機器に無線モデム機能を付加する無線モデム機能拡張装置であって、所定のデータ転送方式のシステムインターフェース機能と、フラッシュメモリーによるストレージ機能と、ＰＨＳモジュールによる無線モデム機能とを有するとともに、前記フラッシュメモリーに、前記無線モデム機能に関するアプリケーションソフトが格納されていることを特徴とする。
【０００６】
この第１の構成の無線モデム機能拡張装置においては、前記フラッシュメモリーに、前記無線モデム機能に関するアプリケーションソフトが格納されているため、無線モデム機能に関するアプリケーションソフトを情報機器側が有していなくても、前記フラッシュメモリーに格納された無線モデム機能に関するアプリケーションソフトを取り込めばよいためそれらのアプリケーションソフトを容易に使用することができるとともに、情報機器側のストレージに格納する必要がなく、利便性を大幅に向上させることが可能になる。
【０００７】
また、第２には、前記第１の構成の無線モデム機能拡張装置において、所定のデータ転送方式がＳＤＩ／Ｏ規格であるとともに、ＳＤＩ／Ｏ規格に基づいたコネクタ方式になされていることを特徴とする。
【０００８】
また、第３には、前記第１の構成の無線モデム機能拡張装置において、所定のデータ転送方式がＣＦＩ／Ｏ規格であるとともに、ＣＦＩ／Ｏ規格に基づいたコネクタ方式になされていることを特徴とする。
【０００９】
また、第４には、前記第１の構成の無線モデム機能拡張装置において、所定のデータ転送方式がＵＳＢ規格であるとともに、ＵＳＢ規格に基づいたコネクタ方式になされていることを特徴とする。
【００１０】
また、第５には、前記第１又は２又は３又は４の構成の無線モデム機能拡張装置において、前記フラッシュメモリーに格納されるアプリケーションソフトが、ダイヤル接続ソフト、音声通話ソフト、メールソフト、ブラウザソフトのうち何れかであることを特徴とする。
【００１１】
【発明の実施の形態】
本発明の実施の形態としての実施例を、図面を利用して以下に説明する。本発明の実施例に基づく無線モデム機能拡張装置であるＳＤ−ＰＨＳメモリーコンボカード１は、ＳＤカード規格にＩ／Ｏ機能を持たせたＳＤＩ／Ｏ規格に準拠した拡張カードであり、図１に示すように、ＳＤＩＯコントローラー１０、フラッシュメモリー２０、ＰＨＳコントローラー３０、ＰＨＳアンテナモジュール４０を有している。そして、ホスト側のＳＤスロットに挿入されて電気的に接続されることによって、ホスト機器にデータを記憶するストレージ機能と、公衆電話回線に接続することによりデータの送受信を行う無線モデム機能とを有する所謂「マルチファンクションカード」である。
【００１２】
前記ＳＤＩＯコントローラー１０は、ＳＤＩＯ規格のシステムインターフェースに基づいてホスト側との通信を行うＳＤＩＯインターフェース機能と、フラッシュメモリー２０へのリードライトを制御するメモリーコントロール機能、及びホストからの指令によりＰＨＳアンテナモジュール４０へのデータの受け渡しをコントロールする機能を有している。
【００１３】
前記フラッシュメモリー２０は、記憶保持動作が不要な半導体メモリーであり、前記ＳＤＩＯコントローラー１０から送られたデータを指定されたアドレス位置に記憶する。また、指定されたアドレス位置のデータを取り出して、前記ＳＤＩＯコントローラー１０に送る。
【００１４】
前記ＰＨＳコントローラー３０は、ＰＨＳプロトコルに基づいてＰＨＳ公衆電話回線に接続する機能を有するとともに、ＲＦ信号（無線周波数信号）を送受信する前記ＰＨＳアンテナモジュール４０にて受信されたＲＦ信号に所定の変調処理を施して、ベースバンド信号からなる受信パケットを得る一方、ベースバンド信号からなる送信パケットに所定の復調処理を施してＲＦ信号を生成し、前記ＰＨＳアンテナモジュール４０へ供給する高周波制御機能を有している。
【００１５】
以上の構成により、本実施例によるＳＤ−ＰＨＳメモリーコンボカード１は、ホスト機器にデータを記憶するストレージ機能と、公衆電話回線に接続することによりデータの送受信を行う無線モデム機能とを付加することができる。また、ホスト側がマルチファンクションに対応したものであれば、前記ストレージ機能と前記無線モデム機能とを同時に使用することも可能である。この場合には、前記無線モデム機能によってダウンロードしたデータなどをそのまま前記フラッシュメモリー２０に書き込むことができる。
【００１６】
また、前記フラッシュメモリー２０には、予め前記無線モデム機能に関するアプリケーションソフトであるダイヤル接続ソフト、音声通話ソフト、メールソフト、ブラウザソフトが格納されている。そのため、本実施例によるＳＤ−ＰＨＳメモリーコンボカード１をホスト側のＳＤスロットに装着すると、ＳＤ−ＰＨＳメモリーコンボカード１はホスト側にリムーバブルディスクと無線モデムとして認識される。そして、そのリムーバブルディスクの内容として、ホスト側のディスプレイには図２に示すように、ダイヤル接続ソフトフォルダ、音声通話ソフトフォルダ、メールソフトフォルダ、ブラウザソフトフォルダが表示される。
【００１７】
そのため、各フォルダ内のセットアップファイルを実行することにより、各アプリケーションソフトをホスト側にインストールすることが可能になる。従って、本実施例によるＳＤ−ＰＨＳメモリーコンボカード１によれば、前記フラッシュメモリー２０に、無線モデム機能に関するアプリケーションソフトが格納されているため、無線モデム機能に関するアプリケーションソフトをホスト側が有していなくても、前記フラッシュメモリー２０に格納された無線モデム機能に関するアプリケーションソフトを使用できるため、それらのアプリケーションソフトを容易に使用することが可能になる。
【００１８】
つまり、従前の構成においては、無線モデム機能に関するアプリケーションソフトであるダイヤル接続ソフト音声通話ソフト、メールソフト、ブラウザソフトなどをホスト側が有していない場合には、別途ＣＤ−ＲＯＭやフレキシブルディスクなどの媒体から取り込むか、Ｗｅｂページからダウンロードする必要があるが、通常ＣＤ−ＲＯＭやフレキシブルディスクのドライブを有していないＰＤＡなどにおいては、それらのディスクから取り込むのは困難であるとともに、Ｗｅｂページに必要なアプリケーションソフトがアップされていなければ、そのような無線モデム機能に関するアプリケーションソフトを容易に使用することができなかった。
【００１９】
さらに、本実施例によるＳＤ−ＰＨＳメモリーコンボカード１は、前記フラッシュメモリー２０に、予め前記無線モデム機能に関するアプリケーションソフトであるダイヤル接続ソフト、音声通話ソフト、メールソフト、ブラウザソフトが格納されているため、ホスト側のハードディスク等のストレージにそれらを格納しておく必要がない。そのため、ホスト側のストレージの負担を軽減でき、記憶領域の無駄な使用を抑制することが可能になる。
【００２０】
なお、本技術は、上記実施例の構成のみに限定されるものではなく、多様な態様が可能である。例えば、本実施例によるＳＤ−ＰＨＳメモリーコンボカード１では、所定のデータ転送方式がＳＤＩ／Ｏ規格であるとともに、ＳＤＩ／Ｏ規格に基づいたコネクタ方式としているが、それのみに限定されるものではなく、ＰＣＭＣＩＡ規格やＣＦ規格、或いはそれに準じた規格、さらには今後開発されるカード規格など、どのような規格であってもよい。また、ホスト側の情報機器としてはＰＣ（パーソナルコンピュータ）に限定されるものではなく、ＰＤＡ、デジタルカメラ、携帯電話等、多様な機器が想定される。
【００２１】
また、図３に示すように、所定のデータ転送方式がＵＳＢ規格であるとともに、ＵＳＢ規格に基づいたコネクタ方式からなるＵＳＢ−ＰＨＳメモリーコンボカード１００としてもよい。この場合には、ＵＳＢ−ＰＨＳメモリーコンボカード１００は、ＵＳＢコントローラー１１０、フラッシュメモリー１２０、ＰＨＳコントローラー１３０、ＰＨＳアンテナモジュール１４０から構成される。
【００２２】
また、本実施例によるＳＤ−ＰＨＳメモリーコンボカード１では、前記フラッシュメモリー２０に格納される無線モデム機能に関するアプリケーションソフトが、ダイヤル接続ソフト、音声通話ソフト、メールソフト、ブラウザソフトの場合を示しているが、それのみに限定されるものではなく、ＰＨＳ回線を用いた位置情報ソフトや、通信料金算出ソフトなど、無線モデム機能に関するアプリケーションソフトであればよい。
【００２３】
【発明の効果】
本発明に基づく無線モデム機能拡張装置によれば、無線モデム機能に加えてストレージ機能も有するものとし、該ストレージ機能を利用して無線モデム機能に関するアプリケーションソフトを予め格納しておくことにより、無線モデム機能に関するアプリケーションソフトを情報機器側が有していなくても容易に使用することができるとともに、情報機器側のストレージに格納しておく必要がなく、利便性を大幅に向上させることが可能な無線モデム機能拡張装置を提供することを目的とする。
【図面の簡単な説明】
【図１】本発明の実施例に基づく無線モデム機能拡張装置の構成を示す構成図である。
【図２】無線モデム機能拡張装置のストレージ機能によるディスプレイ上の表示例を示す説明図である。
【図３】その他の適用例に基づく無線モデム機能拡張装置の構成を示す構成図である。
【符号の説明】
１、１００  無線モデム機能拡張装置
２０、１２０  フラッシュメモリー
３０、１３０  ＰＨＳモジュール
【図１】
2004208245.tif 000003
【図２】
2004208245.tif 000004
【図３】
2004208245.tif 000005